(57)【要約】 【課題】  対象者を特定する識別データを記憶した識別用タグを用いて対象者か非対象者かを区別して対応する監視システムにおいて、識別用タグの識別データを確認するだけでなく不正に識別用タグを保持していてもこれを識別して監視できることを目的とする。【解決手段】    予め定められた複数の個所に人物２が近づいたことを検知する検知装置１ａ、１ｂ……１ｎと、識別用タグ３から送信される識別データを受信する受信装置４ａ、４ｂ……４ｎとにより、人物２の行動データを得て処理装置６における識別データによって予め特定されている対象者の基準データと比較し、この比較結果に差異があるか否かを得る。そして、比較結果に差異がない場合には、所定の個所に配置されたカメラ５ａ、５ｂ……５ｎで得た画像データを配信システム８に伝送しない。これに対し、比較結果に差異があった場合には、その画像データを配信システム８に出力して監視先に配信する。【選択図】    図１
2005228197.tif 000002
【特許請求の範囲】
【請求項１】
対象者を識別するための識別データを記憶し該識別データを送信する機能を有する識別用タグと、
予め定められた複数の箇所に配置され人物が近づいたことを検知する検知手段と、
前記検知手段と同一個所に配置され前記識別用タグから送信される識別データを受信する受信手段と、
前記検知手段と同一個所に配置され該検知手段により検知された人物を撮影するカメラと、
前記識別用タグにより特定された対象者の前記予め定められた複数個所間での定常的な行動を基準データとして記憶し、前記受信手段と前記検知手段から得られる情報に基づく前記人物の行動データを該基準データと比較して差異が無い場合に当該画像データだけを出力せず、それ以外の画像データを出力する処理手段と、
前記処理手段から出力される画像データを監視先に配信する配信手段と、
前記処理手段から前記画像データを出力する処理結果に基づいて警報を発する警報手段と、
を備えてなることを特徴とする監視システム。
【請求項２】
対象者を識別するための識別データを記憶し該識別データを送信する機能を有する識別用タグと、
予め定められた複数の箇所に配置され人物が近づいたことを検知する検知手段と、
前記検知手段と同一個所に配置され前記識別用タグから送信される識別データを受信する受信手段と、
前記検知手段と同一個所に配置され該検知手段により検知された人物を撮影するカメラと、    
前記識別用タグにより特定された対象者の前記予め定められた複数個所間での定常的な行動を基準データとして記憶し、前記受信手段と前記検知手段から得られる情報に基づく前記人物の行動データを該基準データと比較して差異が無い場合に当該画像データだけを出力せず、それ以外の画像データを出力する処理手段と、
前記処理手段から出力される画像データを監視先に配信する配信手段と、
を備えてなることを特徴とする監視システム。  
【請求項３】
人物の行動データと該人物を撮影した画像データを取得する段階と、
予め登録した識別データを記憶し該識別データを送信する機能を有する識別用タグを前記人物が所持しているか否かを判別される段階と、
前記所持している識別用タグの識別データが予め登録されている識別データと一致している場合に、前記行動データが予め記憶されている該識別データによって特定される対象者の定常的な行動を示す基準データと比較される段階と、
前記行動データと基準データとの比較において一致している場合に当該画像データが配信システムに伝送しない段階と、
前記予め登録されている識別データと一致する識別データが得られず、また一致する識別データが得られても当該行動データが前記基準データに一致しない場合に、当該画像データを配信システムに伝送して監視可能にすると共に警報を発する段階と、
からなることを特徴とする監視方法。
【請求項４】
人物の行動データと該人物を撮影した画像データを取得する段階と、
予め登録した識別データを記憶し該識別データを送信する機能を有する識別用タグを前記人物が所持しているか否かを判別される段階と、
前記所持している識別用タグの識別データが予め登録されている識別データと一致している場合に、前記行動データが予め記憶されている該識別データによって特定される対象者の定常的な行動を示す基準データと比較される段階と、
前記行動データと基準データとの比較において一致している場合に当該画像データが配信システムに伝送しない段階と、
前記予め登録されている識別データと一致する識別データが得られず、また一致する識別データが得られても当該行動データが前記基準データに一致しない場合に、当該画像データを配信システムに伝送して監視可能にする段階と、
からなることを特徴とする監視方法。
【発明の詳細な説明】
【技術分野】
【０００１】
本発明は、監視システム及び監視方法に関し、特に、対象者を特定する識別データを記憶した識別用タグを用いて対象者か非対象者かを区別して対応する監視システム及び監視方法に関するものである。
【背景技術】
【０００２】
従来から、セキュリティー領域に入ろうとする人物が正当な者か否かを管理するシステムが種々考えられている。例えば、特許文献１で示すように、ビデオカメラを用いてセキュリティー領域に入る人物を撮影し、画像データとしてデータベースサーバの格納するようにした従来技術が提案されている。この具体的な内容は、セキュリティーを必要とする領域への入退場や入退室についてＩＣカードを用いて管理する管理システムに関するものであって、ＩＣカードの携帯者を識別するための識別情報を記憶し且つ無線通信機能を有するＩＣカードと、近傍に位置するＩＣカードと無線通信して当該ＩＣカードに記憶されている識別情報を読み取る読み取り装置と、読み取り装置で読み取った識別情報を予め設定した情報と比較して正当か否か判定する認証装置と、読み取り装置の近傍に位置する人物を検知するセンサと、センサによる検知に応じて当該人物の画像を撮影するカメラと、カメラにより撮影された画像データを伝送する通信路と、読み取り装置により正当な識別情報を読み取れない状態で、カメラにより撮影された画像データを通信路から受信して当該撮影時刻情報に関連付けたデータベースとして蓄積する記憶装置とを備えたものである。
【０００３】
上記従来技術における読み取り装置は、ＩＣカードが近傍に位置すると当該ＩＣカードと無線通信して記憶されている識別情報を読み取る。従って、携帯者はＩＣカードをことさら認識することなく、自己のＩＣカードから読み取られた識別情報と予め設定した情報との比較を行なうことにより認証装置で正当か否かの判定を受けることができる。そして更に、センサが読み取り装置の近傍に位置する人物を検知する。この検知に応じてカメラが当該人物を撮影するのであるが、識別装置から正当性を判定できない時にのみ監視カメラを作動させて画像を撮影するようにしている。そのため、不審性が高い人物の画像を撮影してデータベースとすることができ、監視カメラの無駄な作動を低減できるとともに、データベースメモリの容量を有効に利用するものである。
【特許文献１】特開２００１−１６７３０６号公報（請求項１、段落〔０００９〕、段落〔００１０〕、段落〔００１９〕）
【発明の開示】
【発明が解決しようとする課題】
【０００４】
しかしながら、従来技術にあっては、ＩＣカードが他人によって無断で使用された場合に正当な人物として取り扱われてしまうという問題点があった。そのため、セキュリティー対策として適切なシステムが存在していなかった。
【０００５】
そこで、本発明は、従来のように他人によって正当な人物になりすまされた場合であってもこれを識別し、近時、用いられている人物の行動を監視する監視システムに適用して好適なものを提供することを目的とする。
【課題を解決するための手段】
【０００６】
上記課題を解決するために、本願の請求項１に係る発明は、
対象者を識別するための識別データを記憶し該識別データを送信する機能を有する識別用タグと、
予め定められた複数の箇所に配置され人物が近づいたことを検知する検知手段と、
前記検知手段と同一個所に配置され前記識別用タグから送信される識別データを受信する受信手段と、
前記検知手段と同一個所に配置され該検知手段により検知された人物を撮影するカメラと、
前記識別用タグにより特定された対象者の前記予め定められた複数個所間での定常的な行動を基準データとして記憶し、前記受信手段と前記検知手段から得られる情報に基づく前記人物の行動データを該基準データと比較して差異が無い場合に当該画像データだけを出力せず、それ以外の画像データを出力する処理手段と、前記処理手段から出力される画像データを監視先に配信する配信手段と、
前記処理手段から前記画像データを出力する処理結果に基づいて警報を発する警報手段と、
を備えてなる監視システムである。
【０００７】
また、本願の請求項２に係る発明は、
対象者を識別するための識別データを記憶し該識別データを送信する機能を有する識別用タグと、
予め定められた複数の箇所に配置され人物が近づいたことを検知する検知手段と、
前記検知手段と同一個所に配置され前記識別用タグから送信される識別データを受信する受信手段と、
前記検知手段と同一個所に配置され該検知手段により検知された人物を撮影するカメラと、    
前記識別用タグにより特定された対象者の前記予め定められた複数個所間での定常的な行動を基準データとして記憶し、前記受信手段と前記検知手段から得られる情報に基づく前記人物の行動データを該基準データと比較して差異が無い場合に当該画像データだけを出力せず、それ以外の画像データを出力する処理手段と、
前記処理手段から出力される画像データを監視先に配信する配信手段と、
を備えてなる監視システムである。  
【０００８】
また、本願の請求項３に係る発明は、
人物の行動データと該人物を撮影した画像データを取得する段階（例えば、ステップＳ１）と、
予め登録した識別データを記憶し該識別データを送信する機能を有する識別用タグを前記人物が所持しているか否かを判別される段階（例えば、ステップＳ２）と、
前記所持している識別用タグの識別データが予め登録されている識別データと一致している場合に、前記行動データが予め記憶されている該識別データによって特定される対象者の定常的な行動を示す基準データと比較される段階（例えば、ステップＳ５）と、
前記行動データと基準データとの比較において一致している場合に当該画像データが配信システムに伝送しない段階（例えば、ステップＳ６）と、
前記予め登録されている識別データと一致する識別データが得られず、また一致する識別データが得られても当該行動データが前記基準データに一致しない場合に、当該画像データを配信システムに伝送して監視可能にすると共に警報を発する段階（例えば、ステップＳ３、ステップＳ４）と、
からなる監視方法である。
【０００９】
また、本願の請求項４に係る発明は、
人物の行動データと該人物を撮影した画像データを取得する段階（例えば、ステップＳ１）と、
予め登録した識別データを記憶し該識別データを送信する機能を有する識別用タグを前記人物が所持しているか否かを判別される段階（例えば、ステップＳ２）と、
前記所持している識別用タグの識別データが予め登録されている識別データと一致している場合に、前記行動データが予め記憶されている該識別データによって特定される対象者の定常的な行動を示す基準データと比較される段階と、
前記行動データと基準データとの比較において一致している場合に当該画像データが配信システムに伝送しない段階（例えば、ステップＳ６）と、
前記予め登録されている識別データと一致する識別データが得られず、また一致する識別データが得られても当該行動データが前記基準データに一致しない場合に、当該画像データを配信システムに伝送して監視可能にする段階（例えば、ステップＳ３、ステップＳ４）と、
からなる監視方法である。
【発明の効果】
【００１０】
本発明は上述のような構成をとることにより以下のような効果を奏する。本願の請求項１に係る本発明の監視システムにおいては、予め定められた複数の個所に人物が近づいたことを検知する検知手段と、識別用タグから送信される識別用タグを受信する受信手段とにより、人物の行動データを得て処理手段における識別データによって予め特定されている対象者の基準データと比較し、この比較結果に差異があるか否かを得る。そして、処理手段において比較結果に差異がない場合には、カメラで得られた画像データを配信システムに伝送せず、処理手段から出力された画像データを配信手段によって配信する。また、処理手段から画像データが出力されると同時に警報手段により監視領域に警報を発する。そのため、効果は下記の通りとなる。
【００１１】
第1の効果としては、配信される画像データは、識別用タグを所持しない人物及び識別用タグを所持していても予め登録されていない非対象の識別用タグである人物についての画像データが配信されてので、非対象者の監視が確実にできる。これと同時に、正当な識別用タグを保持していても対象者と異なる行動をとる人物の画像データを配信するため、例えば、識別用タグを盗用したと思われる不審者を確認することができるので、監視システムとして信頼性が高いものとなる。そして、これらの不審者に対する警報を自動的に発するので、不審者の侵入を積極的に排除させることができる。
【００１２】
第2の効果としては、正当な識別用タグを保持し異常な行動をとらない明らかに対象者であって、監視をする必要のない場合には、情報量の多い不用な画像データが配信手段に伝送されないので  サーバのメモリ、電話回線等の利用率を高めることができる。
【００１３】
また、本願の請求項２に係る本発明の監視システムにおいては、予め定められた複数の個所に人物が近づいたことを検知する検知手段と、識別用タグから送信される識別用タグを受信する受信手段とにより、人物の移動データを得て処理手段における識別データによって予め特定されている対象者の基準データと比較し、この比較結果に差異があるか否かを得る。そして、処理手段において比較結果に差異がない場合には、カメラで得られた画像データを配信手段に伝送せず、処理装置から出力された画像データを配信手段によって配信する。そのため、効果は下記の通りとなる。
【００１４】
第1の効果としては、配信される画像データは、識別用タグを所持しない人物及び識別用タグを所持していても予め登録されていない非対象の識別用タグである人物についての画像データが配信されてので、非対象者の監視が確実にできる。これと同時に、正当な識別用タグを保持していても対象者と異なる行動をとる人物の画像データを配信するため、例えば、識別用タグを盗用したと思われる不審者を確認することができるので、監視システムとして信頼性が高いものとなる。
【００１５】
第2の効果としては、正当な識別用タグを保持し異常な行動をとらない明らかに対象者であって、監視をする必要のない場合には、情報量の多い不用な画像データが配信手段に伝送されないのでサーバのメモリ、電話回線等の利用率を高めることができる。
【００１６】
また、本願の請求項3に係る本発明の監視方法においては、人物の行動データと該人物を撮影した画像データとを取得し、一方、人物が予め登録した識別データを記憶し該識別データを送信する機能を有する識別用タグを所持しているか否かを判別する。そして、所持している識別用タグの識別データが予め登録されている識別データと一致している場合に、行動データが予め記憶されている該識別データによって特定される対象者の定常的な行動を示す基準パターンと比較し、行動データと基準データとの比較において一致している場合に当該画像データが配信手段に伝送しない。これに対し、予め登録されている識別データと一致する識別データが得られず、また一致する識別データが得られても当該行動データが基準データに一致しない場合に、当該画像データを配信手段に伝送して監視可能にすると共に警報を発するので、効果は下記の通りとなる。
【００１７】
第1の効果としては、配信される画像データは識別用タグを所持しない人物及び識別用タグを所持していても予め登録されていない非対象の識別用タグである人物の画像データが配信されて非対象者の監視が確実にできることは勿論のこと、正当な識別用タグを保持していても対象者と異なる行動をとる人物をも画像データを配信するので、例えば識別用タグを盗用したと思われる不審者を確認できるので監視システムとして信頼性が高いものとなる。
【００１８】
第2の効果としては、正当な識別用タグを保持し異常な行動をとらない明らかに対象者であって、監視をする必要のない場合には、情報量の多い不用な画像データが配信手段に伝送されないのでサーバのメモリ、電話回線等の利用率を高めることができる。
【００１９】
また、本願の請求項４に係る本発明の監視方法においては、人物の行動データと該人物を撮影した画像データとを取得し、一方、人物が予め登録した識別データを記憶し該識別データを送信する機能を有する識別用タグを所持しているか否かを判別する。そして、所持している識別用タグの識別データが予め登録されている識別データと一致している場合に、行動データが予め記憶されている該識別データによって特定される対象者の定常的な行動を示す基準パターンと比較し、行動データと基準データとの比較において一致している場合に当該画像データが配信手段に伝送しない。これに対し、予め登録されている識別データと一致する識別データが得られず、また一致する識別データが得られても当該行動データが基準データに一致しない場合に、当該画像データを配信手段に伝送して監視可能にするので、効果は下記の通りとなる。
【００２０】
第1の効果としては、配信される画像データは識別用タグを所持しない人物及び識別用タグを所持していても予め登録されていない非該当の識別用タグである人物の画像データが配信されて対象者以外の監視が確実にできることは勿論のこと、正当な識別用タグを保持していても対象者と異なる行動をとる人物をも画像データを配信するので、例えば識別用タグを盗用したと思われる不審者を確認できるので監視システムとして信頼性が高いものとなる。
【００２１】
第2の効果としては、正当な識別用タグを保持し異常な行動をとらない明らかに対象者であって、監視をする必要のない場合には、情報量の多い不用な画像データが配信手段に伝送されないのでサーバのメモリ、電話回線等の利用率を高めることができる。
【発明を実施するための最良の形態】
【００２２】
本発明を実施するための最良の形態としては、以下に説明する実施例である。
【実施例】
【００２３】
本発明の実施例を図１、図２によって説明する。図１は本発明の実施例を示す監視システムの説明図、図２は本発明の実施例における動作を示すフローチャートである。
【００２４】
図１に示す監視システムは、一般家屋に適用したものであって、家屋内の予め決められた複数個所に人物の近づいたことを検知する検知手段を形成する検知装置１ａ、１ｂ……１ｎが配置されている。家屋に出入りする家人である対象者２は、自己を識別するために識別データを記憶し該識別データを無線送信する機能を有する識別用タグ３を所有している。検知装置１ａ、１ｂ……１ｎには、夫々と一体に識別用タグ３から送信される識別データを受信する受信手段を形成する受信装置４ａ、４ｂ……４ｎが設けられている。これら検知装置１ａ、１ｂ……１ｎは夫々領域Ａ、Ｂ……Ｎの範囲内に人物が近づいたことを検知する機能を有している。これら領域Ａ、Ｂ……Ｎは、例えば領域Ａが玄関をカバーし、領域Ｂが和室をカバーし、……領域Ｎが台所をカバーするように夫々設定されている。また、受信装置４ａ、４ｂ……４ｎは夫々の領域Ａ、Ｂ……Ｎ内に識別用タグ３がある場合、その識別用タグ３から送信される識別データが受信可能な感度を有している。検知装置１ａ、１ｂ……１ｎには、夫々と一体にカメラ５ａ、５ｂ……５ｎが配置され、夫々の領域Ａ、Ｂ……Ｎを撮影できるようになっている。これらカメラ５ａ、５ｂ……５ｎは検知装置１ａ、１ｂ……１ｎが領域Ａ、Ｂ……Ｎ内に人物が入ったことを検知すると夫々の撮影を開始し、退出したことを検知すると夫々の撮影を停止するように連動している。この撮影に当たっては、撮影日時のデータが同時に記録されてようになっている。
【００２５】
検知装置１ａ、１ｂ……１ｎ、受信装置４ａ、４ｂ……４ｎ及びカメラ５ａ、５ｂ……５ｎで得られた識別データの有無、識別データ及び画像データは処理手段を形成する処理装置６に伝送されるようになっている。処理装置６は処理部６１、ゲートウェイ６２からなっている。処理部６１は対象者が定常的に行動するパターンを基準データとして保持しておくものである。例えば、その家族の一員である対象者が帰宅すると玄関から入ってまず和室に移動し、それから居間に移動する……というパターンを基準データとして予めメモリに記憶するものである。一方、処理部６１は検知装置１ａ、１ｂ……１ｎ、受信装置４ａ、４ｂ……４ｎで得られた識別用タグ３を保持する人物の行動するパターンを行動データとして得るようになっている。そして、処理部６１は行動データと基準データとを比較して差異を検知するようになっている。
【００２６】
処理装置６の出力データはアドレスデータが付されてネットワーク７を介し配信手段を形成する配信システム８に伝送されるようになっている。配信システム８はサーバ８１と基地局８とからなり、サーバ８１に蓄積されたデータを基地局８２から回線を用いてアドレスデータに対応する所定の端末装置９に伝送するようになっている。また、端末装置９から基地局８２を介してサーバ８１に蓄積されたデータを読み出して受信することで監視が可能になっている。また、処理装置６の出力側には、画像データをキャンセルしない処理結果に基づいて警報を発する警報手段を構成する警報装置１０が接続されている。この警報装置１０は家屋内に警報音発生させたり、ライトによる照明を行なう等の機能を有する。
【００２７】
カメラ５ａ、５ｂ……５ｎは人物の行動を撮影して画像データとして処理部６１に供給する。この画像データは行動データと基準データとの比較において差異が検知されない場合、出力処理がなされずゲートウェイ６２からサーバ８１へとアップロードされない。そして、この画像データはキャンセルされる。
【００２８】
次に、上述した本発明の実施例の構成による動作を図２のフローチャートに基づいて説明する。ステップＳ１において、検知装置１ａ、１ｂ……１ｎは領域Ａ、Ｂ……Ｎ内に人物が入ったことを検知する。この検知によってカメラ５ａ、５ｂ……５ｎは人物を撮影して画像データを処理装置６に伝送する。同時に、識別用タグ３を所持しているが場合は、その識別データを受信装置５ａ、５ｂ……５ｎが受信して処理装置6に伝送する。このようにして、各種のデータは取得されて処理装置６に伝送される。ステップＳ２において、処理部６１は伝送された画像データが識別データを有していても予め登録されているデータとの比較をとり一致しているか否かの判別を行なう。この判別の結果、識別データを有していない画像データ又は有していても予め登録されていない識別データの画像データは、ステップＳ３においてゲートウェイ６２からアドレスデータが付されて配信システム８に伝送される。即ち、これらのデータがゲートウェイ６２からサーバ８１にアップロードされる。同時に、警報装置１０は警報動作をする。
【００２９】
配信システム８は、ステップＳ４で示すように、その基地局８２からアドレスデータに対応した所定の端末装置９に対し電子メールで画像データを送信する。端末装置９においては、非当事者の画像データが再現されることによって監視が可能になる。また、正当な対象者であっても、識別用タグの破損、劣化等により誤動作して一致の結果が得られない場合は、画像データが端末装置９に配信されると同時に警報装置１０より警報が発するので、これら識別用タグに生じた事故を発見できる。
【００３０】
一方、ステップＳ２における処理部６１による判別で受信された識別データが予め登録されたデータとして一致が得られた場合には以下の通りとなる。即ち、次のステップＳ５において、検知装置１ａ、１ｂ……１ｎによって得られた行動データは基準データとの対比がなされる。その結果、不一致の場合には、ステップＳ３で示すように画像データを配信システム８に伝送する。この時にアドレスデータをも付して伝送する。配信システム８は、次のステップＳ４でアドレスデータに対応した端末装置９に送信する。例えば、行動データが基準データとの比較において、玄関から入り居間に行く所までは一致するが、その後の移動先が異なる場合は、識別コードが一致していても非対象者として端末装置９に配信される。また、識別用タグの劣化、誤動作によって偶然に識別コードが一致しても、その行動を検証することにより非対象者として同じく配信され監視の対象となる。
【００３１】
ステップＳ５における行動データと基準データとの比較結果が一致している場合は、明らかに当事者であるので、ステップＳ６で示すように画像データを配信システム８に伝送しないでキャンセルする。その結果、サーバ８１には監視を要する不審者のデータだけが保持される。
【００３２】
上述した実施例によれば、予め定められた複数の個所に人物が近づいたことを検知する検知装置１ａ、１ｂ……１ｎと、識別用タグ３から送信される識別用データを受信する受信装置４ａ、４ｂ……４ｎとにより、人物の行動データを得て処理装置６における識別データによって予め特定されている対象者の基準データと比較し、この比較結果に差異があるか否かを得る。そして、処理装置６において比較結果に差異がない場合には、カメラ５ａ、５ｂ……５ｎで得られた画像データを出力しない。処理装置６は、識別データが受信されない場合、識別データが受信されても予め登録されているものとの一致が取れない場合、及び識別データの一致が取れても行動データと基準データとの対比で一致が取れない場合の画像データを出力処理する。即ち、非対象者と判断された画像データだけが配信システム８に伝送され、配信システム８によって所定の端末装置９に配信される。これと同時に、監視個所に警報装置１０からの警報を発する。
【００３３】
従って、配信される画像データは識別用タグを所持しない人物及び識別用タグを所持していても予め登録されていない非対象の識別用タグである人物の画像データが配信されて非対象者の監視が確実にできることは勿論のこと、正当な識別用タグを保持していても対象者と異なる行動をとる人物の画像データをも配信するので、例えば識別用タグを盗用したと思われる不審者を確認できる。そして、これらの不審者に対する警報を自動的に発するので、不審者の侵入を積極的に排除させることができる。
【００３４】
また、正当な識別用タグを保持し異常な行動をとらない明らかに対象者であって、確認をする必要のない場合には、情報量が多い画像データが配信されないのでサーバのメモリ、電話回線等の利用率を高めることになる。
【００３５】
尚、上述した本発明の実施例においては、監視システムは家屋内のセキュリティー対策のために適用したが、これに限定されることなく事務所、各種の屋外施設等のセキュリティー対策のために適用できる。また、配信システム８からの配信先である端末装置９はパーソナルコンピュータ、携帯電話等の各種のものが適用できる。
【００３６】
尚また、上述した本発明の実施例においては、処理装置６で出力しない画像データはキャンセルして消去するようにしたが、消去せずに処理装置６側に設けた記録装置に記憶保持し、後に読み出して再生するようにしてもよい。
【００３７】
尚また、上述した本発明においては、行動データ及び基準データは移動のパターンだけでなく日時等の他の要素もデータとして取り込み、例えば、移動パターンは同じでも予想外の夜中での行動であればこれを不審なものとして配信するようにしてもよい。このようにして監視システムの精度を更に向上させることができる。
【００３８】
尚また、上述した本発明の実施例においては、警報装置１０を設けて警報を発するようにしたが、この警報装置１０を設けないようにしてもよい。
【図面の簡単な説明】
【００３９】
【図１】図１は、本発明の実施例を示す監視システムの説明図である。
【図２】図２は、本発明の実施例における動作を示すフローチャートである。
【符号の説明】
【００４０】
１ａ、１ｂ……１ｎ  検知装置        
２                  人物
３                  識別用タグ
４ａ、４ｂ……４ｎ  受信装置
５ａ、５ｂ……５ｎ  カメラ
６                  処理装置
７                  ネットワーク
８                  配信システム
９                  端末装置
１０                警報装置
６１                処理部
６２                ゲートウェイ
８１                サーバ
８２                基地局    
【図１】
2005228197.tif 000003
【図２】
2005228197.tif 000004